(57)【要約】【課題】発電電動機を同期始動する場合、同期始動する発電電動機に電力を供給するための始動用断路器を各発電電動機ごとに２組設置しなければならず、設備費が高価になる課題があった。【解決手段】２台の発電電動機のうちの一方の発電電動機５１を同期始動する際、送電遮断器５５を開放するとともに、発電機遮断器６１及び界磁遮断器６４を投入する遮断器制御手段と、２台の発電電動機の界磁巻線に励磁電流をそれぞれ供給する励磁電流供給手段とを設け、同期始動する発電電動機の速度が同期速度に到達するまで他方の発電電動機の速度を加速するようにしたものである。【選択図】　　　　図１
2004048990.tif 000002
【特許請求の範囲】
【請求項１】
互いに並列に接続された２台の発電電動機の主回路にそれぞれ設置された発電機遮断器と、上記２台の発電電動機の主回路を電力系統に連繋する送電遮断器と、上記２台の発電電動機の励磁回路にそれぞれ設置された界磁遮断器と、上記２台の発電電動機のうちの一方の発電電動機を同期始動する際、上記送電遮断器を開放するとともに、上記発電機遮断器及び界磁遮断器を投入する遮断器制御手段と、上記２台の発電電動機の界磁巻線に励磁電流をそれぞれ供給する励磁電流供給手段と、同期始動する発電電動機の速度が同期速度に到達するまで他方の発電電動機の速度を加速する速度加速手段とを備えたプラント制御装置。
【発明の詳細な説明】
【０００１】
【発明の属する技術分野】
この発明は、揚水発電所に設置されている発電電動機の同期始動を制御するプラント制御装置に関するものである。
【０００２】
【従来の技術】
図３は従来の一実施例を示す単線結線図である。発電電動機を同期始動する場合の手順を説明する。
例えば、発電電動機５１ｂで発電電動機５１ａを同期始動する場合、最初に、図示せぬ制御回路が、電気ブレーキ用断路器６２ｂ，始動用断路器６７ｂ及び相反転断路器５９ｂ，６０ｂを開放し、発電機遮断器６１ｂ及び始動用断路器６６ｂを投入する。
【０００３】
そして、図示せぬ制御回路が、電気ブレーキ用断路器６２ａ，発電機遮断器６１ａ，始動用断路器６６ａ，相反転断路器５９ａ，接地断路器５６を開放し、相反転断路器６０ａ，始動用断路器６７ａ，特高側断路器５７ａ及び送電遮断器５５を投入する。
そして、図示せぬ制御回路が、界磁遮断器６４ａ，６４ｂを投入するとともに、同期始動励磁をサイリスタ励磁装置６３ａ，６３ｂに指令して、界磁巻線６５ａ，６５ｂに励磁電流を供給する。
【０００４】
そして、この状態で、発電電動機５１ｂをポンプ水車によって徐々に加速することにより、発電電動機５１ｂから下記の電力供給ルートで発電電動機５１ａに電力を供給し、発電電動機５１ａを加速する。
・電力供給ルート
発電電動機５１ｂ→発電機遮断器６１ｂ→始動用断路器６６ｂ→始動用断路器６７ａ→発電電動機５１ａ
【０００５】
そして、発電電動機５１ａの速度が同期速度に到達したら、図示せぬ制御回路が、発電電動機５１ａと送電線側との同期を取って、発電機遮断器６１ａを同期投入するとともに、発電機遮断器６１ｂを開放する。
これにより、発電電動機５１ａの同期始動が完了して揚水運転に入る一方、発電電動機５１ｂは停止する。
【０００６】
【発明が解決しようとする課題】
従来のプラント制御装置は以上のように構成されているので、発電電動機を同期始動する場合（図３参照）、同期始動する発電電動機に電力を供給するための始動用断路器６６ａ，６６ｂ，６７ａ，６７ｂを各発電電動機５１ａ，５１ｂごとに２組設置しなければならず、設備費が高価になる課題があった。
【０００７】
この発明は上記のような課題を解決するためになされたもので、同期始動装置を簡略化することができるプラント制御装置を得ることを目的とする。
【０００８】
【課題を解決するための手段】
この発明に係るプラント制御装置は、２台の発電電動機のうちの一方の発電電動機を同期始動する際、送電遮断器を開放するとともに、発電機遮断器及び界磁遮断器を投入する遮断器制御手段と、２台の発電電動機の界磁巻線に励磁電流をそれぞれ供給する励磁電流供給手段とを設け、同期始動する発電電動機の速度が同期速度に到達するまで他方の発電電動機の速度を加速するようにしたものである。
【０００９】
【発明の実施の形態】
以下、この発明の実施の一形態を説明する。
実施の形態１．
図１はこの発明の実施の形態１によるプラント制御装置を示す単線結線図であり、図において、図３と同一符号は同一又は相当部分を示すので説明を省略する。また、図２はこの発明の実施の形態１によるプラント制御装置の動作を示すフローチャートである。
【００１０】
次に、発電電動機を同期始動する場合の手順を説明する。
例えば、発電電動機５１ｂで発電電動機５１ａを同期始動する場合、最初に、図示せぬ制御回路（遮断器制御手段）が、送電遮断器５５，接地断路器５６，始動用断路器６７ａ，相反転断路器５９ａ，始動用断路器６７ｂ及び相反転断路器６０ｂを開放する（ステップＳＴ１１）。
【００１１】
そして、図示せぬ制御回路（遮断器制御手段）が、発電機遮断器６１ａ，界磁遮断器６４ａ，相反転断路器６０ａ，特高側断路器５７ａ，発電機遮断器６１ｂ，界磁遮断器６４ｂ，相反転断路器５９ｂ及び特高側断路器５７ｂを投入する（ステップＳＴ１２）。
【００１２】
そして、図示せぬ制御回路（励磁電流供給手段）が、同期始動励磁をサイリスタ励磁装置６３ａ，６３ｂに指令して、界磁巻線６５ａ，６５ｂに励磁電流を供給する（ステップＳＴ１３）。
【００１３】
そして、この状態で、図示せぬ速度加速手段が、発電電動機５１ｂをポンプ水車によって徐々に加速することにより、発電電動機５１ｂから下記の電力供給ルートで発電電動機５１ａに電力を供給し、発電電動機５１ａを加速する（ステップＳＴ１４）。
・電力供給ルート
発電電動機５１ｂ→発電機遮断器６１ｂ→相反転断路器５９ｂ→主変圧器５８ｂ→特高側断路器５７ｂ→特高側断路器５７ａ→主変圧器５８ａ→相反転断路器６０ａ→発電機遮断器６１ａ→発電電動機５１ａ
【００１４】
そして、発電電動機５１ａの速度が同期速度に到達したら、図示せぬ制御回路が、発電電動機５１ａと送電線側との同期を取って、送電遮断器５５を投入するとともに、発電機遮断器６１ｂを開放する（ステップＳＴ１５）。
これにより、発電電動機５１ａの同期始動が完了して揚水運転に入る一方、発電電動機５１ｂは停止する。
【００１５】
以上より、この実施の形態１によれば、発電電動機の主回路５２ａ，５２ｂを介して同期始動する発電電動機に電力を供給するようにしたので、従来のもののように、発電電動機ごとに２組の始動用断路器６６ａ，６６ｂ，６７ａ，６７ｂを設置する必要がなくなり、装置構成を簡略化することができる。
【００１６】
【発明の効果】
以上のように、この発明によれば、２台の発電電動機のうちの一方の発電電動機を同期始動する際、送電遮断器を開放するとともに、発電機遮断器及び界磁遮断器を投入する遮断器制御手段と、２台の発電電動機の界磁巻線に励磁電流をそれぞれ供給する励磁電流供給手段とを設け、同期始動する発電電動機の速度が同期速度に到達するまで他方の発電電動機の速度を加速するように構成したので、従来のもののように、発電電動機ごとに２組の始動用断路器を設置する必要がなくなり、装置構成を簡略化できる効果がある。
【図面の簡単な説明】
【図１】この発明の実施の形態１によるプラント制御装置を示す単線結線図である。
【図２】この発明の実施の形態１によるプラント制御装置の同期始動のフローチャートである。
【図３】従来のプラント制御装置を示す単線結線図である。
【符号の説明】
５１ａ，５１ｂ　発電電動機、５２ａ，５２ｂ　主回路、５３ａ，５３ｂ　励磁回路、５４　送電線、５５　送電遮断器、５６　接地断路器、５７ａ，５７ｂ特高側断路器、５８ａ，５８ｂ　主変圧器、５９ａ，５９ｂ，６０ａ，６０ｂ相反転断路器、６１ａ，６１ｂ　発電機遮断器、６２ａ，６２ｂ　電気ブレーキ用断路器、６３ａ，６３ｂ　サイリスタ励磁装置（励磁電流制御手段）、６４ａ，６４ｂ　界磁遮断器、６５ａ，６５ｂ　界磁巻線、６６ａ，６６ｂ，６７ａ，６７ｂ　始動用断路器、６８　サイリスタ始動装置。
【図１】
2004048990.tif 000003
【図２】
2004048990.tif 000004
【図３】
2004048990.tif 000005